(57)【要約】【課題】新規に部品を追加することなく記録／初期化時の信頼性を向上させる。【解決手段】２分割された受光素子であるＰＤ４１ａとＰＤ４１ｂの電流の差に基づいてチルトエラー信号を発生するチルトセンサにおいて、光ピックアップの組み立て時における対物レンズのチルトセンサとの傾きを補正する初期補正値に、光ディスクにおける記録済み領域と未記録領域との境界にチルトセンサからの光スポットを形成することによって生じるＰＤ４１ａまたはＰＤ４１ｂの入射光量の差によるチルト検出誤差分だけ補正するような値を加算して設定したオフセット電圧を印加することによって、ＰＤ４１ａまたはＰＤ４１ｂの出力電流を補正して、チルトエラー信号を出力し、このチルトエラー信号に基づいてチルト補正を行う。【選択図】　　図８
2004118881.tif 000002
【特許請求の範囲】
【請求項１】
情報記録媒体に光を照射する発光手段および情報記録媒体によって反射された前記発光手段からの光を受光する受光手段を有し、情報記録媒体とこの情報記録媒体に光スポットを形成して情報を読み書きする光学系との傾きを、前記受光手段の受光量に基づいて検出し、チルトエラー信号を出力する検出手段と、情報記録媒体と前記光学系とを相対的に傾けるように情報記録媒体と前記光学系の少なくともいずれか一方を駆動させる補正機構とを有し、前記検出手段と前記光学系との傾きの補正値に基づいて、初期的または情報記録媒体挿入時にチルトエラー信号を補正し、このチルトエラー信号を基にして補正機構を駆動させて傾きを補正するチルト制御装置の制御方法において、
追記型の情報記録媒体に記録を行う際に、前記検出手段と前記光学系との傾きを補正する値に対して前記検出手段における受光量の変化に伴う検出誤差を補正する値を加算してなるオフセット値に基づいてチルトエラー信号を補正し、前記補正機構を駆動させることを特徴とするチルト制御方法。
【請求項２】
情報記録媒体に光を照射する発光手段および情報記録媒体によって反射された前記発光手段からの光を受光する受光手段を有し、情報記録媒体とこの情報記録媒体に光スポットを形成して情報を読み書きする光学系との傾きを、前記受光手段の受光量に基づいて検出し、チルトエラー信号を出力する検出手段と、情報記録媒体と前記光学系とを相対的に傾けるように情報記録媒体と前記光学系の少なくともいずれか一方を駆動させる補正機構とを有し、前記検出手段と前記光学系との傾きの補正値に基づいて、初期的または情報記録媒体挿入時にチルトエラー信号を補正し、このチルトエラー信号を基にして補正機構を駆動させて傾きを補正するチルト制御装置の制御方法において、
書換型の情報記録媒体の初期化を行う際に、前記検出手段と前記光学系との傾きを補正する値に対して前記検出手段における受光量の変化に伴う検出誤差を補正する値を加算してなるオフセット値に基づいてチルトエラー信号を補正し、前記補正機構を駆動させることを特徴とするチルト制御方法。
【請求項３】
情報記録媒体上の半径位置に対応した前記検出誤差を補正する値を求め、情報記録媒体上の半径位置に応じてオフセット値を変化させることを特徴とする請求項１または２記載のチルト制御方法。
【請求項４】
前記検出手段による検出誤差が最大となる位置を境に情報記録媒体の記録領域を２つの領域に分け、これらの領域ごとに半径位置に対応して前記検出誤差を補正する値を１次近似によって関数式を求め、この関数式に基づいてオフセット値を変化させることを特徴とする請求項３記載のチルト制御方法。
【請求項５】
情報記録媒体における未記録領域と記録済み領域との反射率の差を、未記録領域と記録済み領域との境界を有する調整用ディスクを用いて予め取得し、前記反射率の差に光スポットの半径位置に対応した係数を乗算して前記検出誤差の補正値を求めることを特徴とする請求項１または２記載のチルト制御方法。
【請求項６】
請求項１〜５のいずれか１項記載のチルト制御方法を実施させるプログラムを記憶したコンピュータ読み取り可能な記憶手段を備えたことを特徴とする光ディスク装置。
【発明の詳細な説明】
【０００１】
【発明の属する技術分野】
本発明は、光ビームを光ディスク面に対して垂直に照射させるように、光ビームの傾きを補正するためのチルト制御方法および光ディスク装置に関する。
【０００２】
【従来の技術】
近年、光ディスクの高密度化が進み、それに伴い、光ディスク装置においても、光学系の収差を増加させる要因である光ディスク面に対する光ビームの傾き（以下、チルトと称する）を補正する機構を備えたものが増加している。
【０００３】
チルト補正機構としては、従来、特許文献１〜３に記載された技術が提案されており、特許文献１〜３によれば光ピックアップを傾けることによりチルトを補正する点について記載されている。
【０００４】
また、従来、チルトを検出するために、光ピックアップに発光素子と２分割された受光素子とからなるチルトセンサを設けたものがある。すなわち、発光素子から光ディスクに光ビームを照射し、反射光を受光素子が検出し、２分割された受光素子それぞれの受光量を比較することによってチルトが検出される。このチルトの検出結果に基づいてチルト補正機構が駆動制御され、チルト補正が行われる。
【０００５】
図１１は光ピックアップ上におけるチルトセンサの取り付け例を示す側面図であり、５０は光ピックアップ、５１はチルトセンサを示す。チルトセンサ５１は、図１１（ａ）に示すように光ピックアップ５０の光学系すなわち対物レンズ５３の光軸の最良傾角と一致するように取り付けられていることが理想である。しかし、部品の公差などにより実際には厳密に一致しているわけではない。図１１（ｂ）はチルトセンサ５１が大きく傾いている例を示したものであり、このような状態でチルトセンサ５１における２分割された受光素子の受光量の差信号が０になるようにチルト補正機構を動作させると、図１１（ｃ）に示すように、チルトセンサ５１は光ディスク５２に対して平行になるものの、肝心の光学系については最良傾角から大きく離れてしまう。
【０００６】
このような現象を回避するため、初期的にまたは光ディスクのマウント時等にあらかじめチルトセンサ５１の傾きを補正するような値（以下、この値を初期補正値と称する）を求めておき、チルトセンサ５１の２分割された受光素子のいずれかの電流値にオフセットを与えて、サーボを入れた状態が図１１（ｂ）になるようにしている。このオフセット値を求める場合には、一般的には全面記録済みか未記録の調整用ディスクが用いられる。
【０００７】
【特許文献１】
特開２００１−１７６１０３号公報
【特許文献２】
特開２００１−３４４７９１号公報
【特許文献３】
特許第２８４２４０３号公報
【０００８】
【発明が解決しようとする課題】
ところで、ＣＤ−ＲやＤＶＤ−Ｒのような追記型光ディスクに記録をする場合やＣＤ−ＲＷやＤＶＤ−ＲＷあるいはＤＶＤ＋ＲＷのような書換型光ディスクを初期化する場合を考えると、記録済み領域と未記録領域の境界が存在するようになる。図１２は追記型光ディスクに記録をする場合の記録領域と未記録領域の形成例を示す説明図であり、チルトセンサ２０の発光素子によって光ディスク上に形成される光スポット（以下、このセンサスポットと称する）が記録済み領域と未記録領域の境界付近に位置するような場合には、図１３に示すように、センサスポットが中央に位置しかつ光ディスクとチルトセンサに傾きがない状態でも２分割受光素子への入射光量が等しくなくなる。しかも、センサスポットの大きさが４×４ｍｍ程度で比較的大きいため２分割受光素子それぞれの出力電流の大きさに差が生ずる。その結果、チルトを誤検出して、図１１（ｃ）のような状態で記録を行うようになってしまい、記録情報が劣化するという問題があった。
【０００９】
本発明は、このような問題点を解決し、新規に部品を追加することなく記録／初期化時の信頼性を向上させることを実現したチルト制御方法および光ディスク装置を提供することを目的とする。
【００１０】
【課題を解決するための手段】
前記目的を達成するため、請求項１に係る発明は、情報記録媒体に光を照射する発光手段および情報記録媒体によって反射された前記発光手段からの光を受光する受光手段を有し、情報記録媒体とこの情報記録媒体に光スポットを形成して情報を読み書きする光学系との傾きを、前記受光手段の受光量に基づいて検出し、チルトエラー信号を出力する検出手段と、情報記録媒体と前記光学系とを相対的に傾けるように情報記録媒体と前記光学系の少なくともいずれか一方を駆動させる補正機構とを有し、前記検出手段と前記光学系との傾きの補正値に基づいて、初期的または情報記録媒体挿入時にチルトエラー信号を補正し、このチルトエラー信号を基にして補正機構を駆動させて傾きを補正するチルト制御装置の制御方法において、追記型の情報記録媒体に記録を行う際に、前記検出手段と前記光学系との傾きを補正する値に対して前記検出手段における受光量の変化に伴う検出誤差を補正する値を加算してなるオフセット値に基づいてチルトエラー信号を補正し、前記補正機構を駆動させることを特徴とする。このように構成したことにより、補正機構を駆動させるオフセット値に、検出手段の組み付け時の傾斜を補正する値や、検出手段による検出誤差を補正する値を含めることにより、新規に部品を追加することなく、検出手段の組み付け時の傾斜や、検出手段による検出誤差を補正することが可能になり、記録時の信頼性を向上させることができる。
【００１１】
請求項２に係る発明は、情報記録媒体に光を照射する発光手段および情報記録媒体によって反射された前記発光手段からの光を受光する受光手段を有し、情報記録媒体とこの情報記録媒体に光スポットを形成して情報を読み書きする光学系との傾きを、前記受光手段の受光量に基づいて検出し、チルトエラー信号を出力する検出手段と、情報記録媒体と前記光学系とを相対的に傾けるように情報記録媒体と前記光学系の少なくともいずれか一方を駆動させる補正機構とを有し、前記検出手段と前記光学系との傾きの補正値に基づいて、初期的または情報記録媒体挿入時にチルトエラー信号を補正し、このチルトエラー信号を基にして補正機構を駆動させて傾きを補正するチルト制御装置の制御方法において、書換型の情報記録媒体の初期化を行う際に、前記検出手段と前記光学系との傾きを補正する値に対して前記検出手段における受光量の変化に伴う検出誤差を補正する値を加算してなるオフセット値に基づいてチルトエラー信号を補正し、前記補正機構を駆動させることを特徴とする。このように構成したことにより、補正機構を駆動させるオフセット値に、検出手段の組み付け時の傾斜を補正する値や、検出手段による検出誤差を補正する値を含めることにより、新規に部品を追加することなく、検出手段の組み付け時の傾斜や、検出手段による検出誤差を補正することが可能になり、初期化時の信頼性を向上させることができる。
【００１２】
請求項３に係る発明は、請求項１または２に係る発明において、情報記録媒体上の半径位置に対応した前記検出誤差を補正する値を求め、情報記録媒体上の半径位置に応じてオフセット値を変化させることを特徴とする。このように構成したことにより、より精度良く検出手段による検出誤差を補正することが可能になる。
【００１３】
請求項４に係る発明は、請求項３のいずれか１項に係る発明において、前記検出手段による検出誤差が最大となる位置を境に情報記録媒体の記録領域を２つの領域に分け、これらの領域ごとに半径位置に対応して前記検出誤差を補正する値を１次近似によって関数式を求め、この関数式に基づいてオフセット値を変化させることを特徴とする。このように構成したことにより、検出誤差を補正する値を簡単な演算によって求めることが可能になる。
【００１４】
請求項５に係る発明は、請求項１，２のいずれか１項に係る発明において、情報記録媒体における未記録領域と記録済み領域との反射率の差を、未記録領域と記録済み領域との境界を有する調整用ディスクを用いて予め取得し、前記反射率の差に光スポットの半径位置に対応した係数を乗算して前記検出誤差の補正値を求めることを特徴とする。このように構成したことにより、検出誤差を補正する値を簡単な演算によって求めることが可能になる。
【００１５】
請求項６に係る発明は、請求項１〜５のいずれか１項に係るチルト制御方法を実施させるプログラムを記憶したコンピュータ読み取り可能な記憶手段を備えたことを特徴とする。このように構成したことにより、補正機構を駆動させるオフセット値に、検出手段の組み付け時の傾斜を補正する値や、検出手段による検出誤差を補正する値を含めることにより、新規に部品を追加することなく、検出手段の組み付け時の傾斜や、検出手段による検出誤差を補正することが可能になり、記録時あるいは初期化時の信頼性を向上させることができる。
【００１６】
【発明の実施の形態】
以下、本発明の実施形態について、図面を参照しながら詳細に説明する。
【００１７】
図１は本発明の実施形態を説明するための光ディスク装置の構成を示す平面図であり、１は第１シャーシ、２は第２シャーシ、３はシークレール、４はシークレール受け、５はスピンドルモータ、６はチルトモータ、７はチルトギヤ、８はチルト補正機構角度検出手段、９は光ピックアップ（以下、ＰＵと称する）、１０は対物レンズ、１１はチルトセンサを示す。
【００１８】
第１シャーシ１には、第２シャーシ２、スピンドルモータ５、チルトモータ６、チルトギヤ７、チルト補正機構角度検出手段８が搭載されており、第２シャーシ２は第１シャーシ１に対して回動可能に設置されており、チルトモータ６の回転がチルトギヤ７に伝達されることにより、第２シャーシ２が移動するようになる。第２シャーシ２の移動位置はチルト補正機構角度検出手段８によって検出される。
【００１９】
第２シャーシ２には、２本のシークレール３がシークレール受け４を介して平行に並列配置されており、シークレール３，３によってＰＵ９は、スピンドルモータ５に取り付けた光ディスクの半径方向に移動可能に支持される。
【００２０】
ＰＵ９上には対物レンズ１０およびチルトセンサ１１が配置されており、チルトモータ６を駆動させて第２シャーシ２を回動させることにより、対物レンズ１０の光軸がラジアル方向に傾けられる。
【００２１】
図２は図１の光ディスク装置の制御系を示すブロック図であり、２０はスピンドルモータ５に装着される光ディスク、２１は記録補償回路、２２はＲＦ信号処理回路、２３は変調／復調回路、２４はＣＰＵ、２５はサーボ制御回路、２６は各種プログラムが記憶されているメモリを示す。
【００２２】
記録補償回路２１には、記録信号によるレーザ変調などの回路や、ＲＦ信号処理回路２２には読取信号の波形整形などの回路が含まれている。変調／復調回路２３は、入力信号を変調して記録補償回路２１に出力し、またＲＦ信号処理回路２２からの読取信号を復調して出力するものである。ＣＰＵ２４は変調／復調回路２３およびサーボ制御回路２５を制御するものである。サーボ制御回路２５は、読取信号より誤差成分を検出し、ＰＵ９やスピンドルモータ５にフィードバックして、フォーカスサーボやトラッキングサーボおよびスピンドルモータの回転制御を行うものである。さらにサーボ制御回路２５には、光ディスク２０の記録面とＰＵ９の対物レンズ１０の光ビームとの傾きを除去するチルトサーボ機構が含まれている。メモリ２６に記憶されているプログラムの中には、チルトサーボ機構を駆動制御してチルト補正を実行させるためのプログラムが含まれている。
【００２３】
光ディスク２０の情報の再生動作は、ＰＵ９により光ディスク２０上の記録された情報信号を読出し、その信号をＲＦ信号処理回路２２に入力する。ＲＦ信号処理回路２２では入力信号の波形整形等を行い、その後信号を変調／復調回路２３に入力する。復調後、信号は図示しないホストコンピュータ等に出力する。変調／復調回路２３の信号入力／出力には、信号の利用目的によりオーディオ回路や、画像圧縮／伸張回路、あるいはコンピュータと接続のためのインターフェイスが接続されている。
【００２４】
光ディスク２０への情報の記録動作は、まず記録したい信号の入力があるとその信号は変調／復調回路２３によって光ディスク２０上に記録しやすい信号に変調される。つぎに変調された信号は記録補償回路２１に入力され、レーザ変調等が行われ、変調信号に応じたレーザ駆動電流をＰＵ９に出力する。ここで、一般に情報記録時に流す電流は情報再生時よりも大きい。そして、レーザ駆動電流に基づいて半導体レーザが発光され、ＰＵ９からレーザ光が光ディスク２０の記録面に照射されることにより、情報記録が行われる。この動作の間、サーボ制御は常に行われている。
【００２５】
なお、上述した例は記録再生型の光ディスク装置であるが、本発明はこれに限られるものではなく、例えば、図１中の記録補償回路を省略した再生型の光ディスク装置であってもよい。
【００２６】
図３はＰＵの構成を示す模式図であり、３１は半導体レーザ、３２はコリメータレンズ、３３は偏光ビームスプリッタ、３４は立上ミラー、３５は１／４波長板、３６は集光レンズ、３７は受光素子、３８はトラッキングコイル、３９はフォーカシングコイルを示す。
【００２７】
半導体レーザ３１から発散光として出射された光ビーム（直線偏光）は、コリメータレンズ３２により平行光とされ、偏光ビームスプリッタ３３に入射する。偏光ビームスプリッタ３３は、光の偏光方向の違いによって貼り合せ面において光を透過または反射させる働きをする。ここで偏光ビームスプリッタ３３への入射光は平行光であり、偏光ビームスプリッタ３３の入射面に対して平行振動するため、透過する。偏光ビームスプリッタ３３を透過した光ビームは、立上ミラー３４で方向が変えられた後、１／４波長板３５に入射する。１／４波長板３５では直線偏光が円偏光に変換される。その後、光ビームは対物レンズ１０に入射する。対物レンズ１０に入射した光は、光ディスク２０の記録面上に集光される。記録面から反射した光は、再び対物レンズ１０、１／４波長板３５に入射する。このとき円偏光から再び直線偏光に変換されるが、最初に１／４波長板３５に入射した光に対して位相が９０度ずれ、垂直振動する光となる。この光は偏光ビームスプリッタ３３により入射方向に対して垂直な方向に反射され、集光レンズ３６により集光された後、受光素子３７により受光される。
【００２８】
そして、この受光素子３７で受光した光量が電気信号に変換されることにより、光ディスク３７に記録されている情報が再生される。また、受光素子３７を分割して、その分割された各々の受光素子が受光する光量に応じてトラッキングエラー信号及びフォーカスエラー信号を生成する。これらの信号に基づいてトラッキングコイル３９やフォーカシングコイル３８に電流を流し、トラッキングサーボやフォーカシングサーボを行う。
【００２９】
図４はチルトセンサの回路構成の一例を示す回路図であり、チルトセンサ１１は、光源４０と受光素子４１とを有し、受光素子３７は２分割されたＰＤ（ｐｈｏｔｏ　ｄｉｏｄｅ）４１ａ，４１ｂとによって構成されており、ＰＵ９上に搭載されている。ここでＰＤ４１ａ，ＰＤ４１ｂへ流れる電流の合計値を和信号と称し、ＰＤ４１ａとＰＤ４１ｂに流れる電流の差を差信号と称することにする。図５（ａ）の下図に示すように、チルトが発生しなければ、上図に示すように、センサスポットは２つのＰＤ４１ａ，４１ｂの中央に位置し、差信号は０となる。図５（ｂ）の下図に示すように、チルトが発生すると、上図に示すようにＰＤ４１ａとＰＤ４１ｂへの入射光量が変化する。この変化の様子を図６に示す。光ディスク２０に傾きが無い場合は２つのＰＤ４１ａ，４１ｂに対して等しい光量が入るように調整されてＰＵ９上に取り付けられているとする。光ディスク２０に傾斜がある場合には２つのＰＤ４１ａ，４１ｂに入る光量に偏りが生じることにより、傾きを検出することができる。
【００３０】
図７は追記型光ディスクに対して記録動作を行う場合の模式図であり、図７（ａ）は側面視した図、図７（ｂ）は平面視した図である。特に、図７（ｂ）において、（イ）は対物レンズによる光スポットが内周側にあるときのセンサスポットの位置、およびその時の受光素子における光の分布を示し、（ロ）は対物レンズによる光スポットが外周側にあるときのセンサスポットの位置、およびその時の受光素子における光の分布を示すものである。追記型光ディスクに対して記録動作を行う場合には、図３を用いて上述したように、ＰＵ９にある半導体レーザ３１を適切に発光させて記録を行っている。このとき、記録性能はチルトの影響を受けやすいためにチルトモータ６（図１参照）を動作させてチルト補正を行っている。図７（ａ），（ｂ）に示すように、対物レンズ１０による光スポット（以下、単に光スポットと称する）は、光ディスクの記録済／未記録領域の境界付近に存在するが、チルトセンサ１１の光スポット（センサスポット）は、図７（ｂ）の（イ），（ロ）に示すように、対物レンズ１０の半径方向の移動に伴い、光ディスク２０の記録済／未記録領域の境界に対して相対的に移動するようになる。
【００３１】
ここで、図１２を用いて前述したように、記録済／未記録領域ではチルトセンサ１１の２分割ＰＤ４１ａ，４１ｂへの入射光量が変化してチルトを誤検出してしまう。以下、このような入射光量の変化に伴うチルト検出誤差を、単にチルト検出誤差と称する。
【００３２】
本実施形態は、追記型光ディスクに対して記録動作を行う場合において、上述した初期補正値に、チルト検出誤差分だけ補正するような値（以下、この値を境界補正値と称する）を加算し、この値に基づいてチルトセンサ６がチルトエラー信号を補正して出力するようにしたものである。
【００３３】
図８はチルトエラー信号を生成する回路の一例を示す回路図であり、オフセット電圧を印加することにより、ＰＤ４１ｂの電流値にオフセットを与えることにより、チルトエラー信号を調整するように構成されており、オフセット電圧は、初期補正差の値に境界補正値を加算した値に基づいて設定される。ここで、初期補正差の値は一定値であるため、オフセット電圧は境界補正値によって決定する。
【００３４】
図９は入射光量変化に伴うチルト検出誤差を示す模式図、図１０は半径位置に対応する入射光量の変化を示す模式図であり、実際のチルトセンサ１１の配置は対物レンズ１０と一致していないために、図１０に示すように、光スポットが内周側にあるときにセンサスポットにおいては、未記録領域からの反射光よりも記録済み領域からの反射光の占める割合が小さく、光スポットが外周側に移動するにつれて記録済み領域からの反射光を占める割合が大きくなる。光ディスク２０の半径位置に対するチルト検出誤差の関数形状は、ＰＵ９におけるチルトセンサ１１の配置とチルトセンサ１１が光ディスク２０に形成するセンサスポットの径によって支配され、図９に示すように、概ね三角形状をなす。
【００３５】
次に、境界補正値の設定方法について説明する。境界補正値の設定方法としては、ＰＵ９の位置に関わらず一定値とする方法と、ＰＵ９の位置によって境界補正値を変化させる方法とがある。
【００３６】
前者の場合には、シーク範囲で発生するチルト検出誤差の平均値に対応する補正値を境界補正値として採用し、前述したように初期補正値に境界補正値を加算することによりオフセット電圧が設定される。このように設定したことにより、光ディスク２０の最内周側および最外周側におけるチルト検出誤差が増加するが、シーク範囲全体としてチルト検出誤差の絶対値の最大値は小さくなる。しかも、オフセット電圧が一定値となるため、新規に部品を追加することなく、チルト検出誤差を補正することが可能になり、記録性能を向上させることができる。
【００３７】
後者の場合には、図９に示す関数においてチルト検出誤差が最大となる半径位置を境にして２つの領域に分け、それぞれの領域における半径位置に対するチルト検出誤差を１次関数で近似する。さらに、求められた近似式（１次関数式）と現在のＰＵ９の位置に基づいてチルト検出誤差を計算することによって、境界補正値を求める。そして、求めた境界補正値を初期補正値に加算することによりオフセット電圧が設定される。このように設定したことにより、前者に比較してオフセット電圧を設定するための制御が複雑になるが、ＰＵ９の位置に基づいてチルト検出誤差を補正することが可能となり、より高精度のチルト補正が可能になる。
【００３８】
ところで、半径位置とチルト検出誤差とは、図９のような関数形状となるが、半径位置における検出誤差の絶対値は、その位置における記録済み／未記録での反射率の差とチルトセンサ１１の光量によって支配される。そのため、記録済み／未記録での反射率の差が取得できれば、演算によって境界補正値を求めることが可能になる。記録済み／未記録での反射率の差は事前に取得しておくことが可能である。具体的には、例えば、記録済み領域と未記録領域の境界を有する調整用のディスクを用い、記録済み領域における２分割ＰＤの戻り光量の和と未記録領域における２分割ＰＤの戻り光量の和とを取得し、両者の差をメモリ手段に保存しておく。実際の記録動作の際には上記の記録済み領域と未記録領域の反射率の差に適切な係数を掛けることにより境界補正値として用いることが可能である。この係数は光ディスクの半径位置に応じて設定可能である。さらに追記型ディスクの場合などはいわゆるＯＰＣ（ｏｐｔｉｃａｌ　ｐｏｗｅｒ　Ｃａｌｉｂｒａｔｉｏｎ）で使用した領域と未記録領域などで反射率の差を求める動作を記録前に行うことにより、光ディスクごとの反射率変化の差を補正することが可能となる。
【００３９】
以上、説明したように構成された本実施形態によれば、新規に部品を追加することなく、チルトセンサやディスク特性のばらつきを補正し、記録特性を向上させることが可能となる。
【００４０】
なお、上述した実施形態によれば、追記型光ディスクを例に説明したが、書換型光ディスクの初期化時に、上述したオフセット電圧の設定方法と同様にチルト検出誤差を補正してもよい。すなわち、書換型光ディスクは一般的に記録を行う前に初期化を行うが、この際には追記型光ディスクと同様に記録済／未記録境界付近で書き込み動作を行うことになる。したがって、初期化性能を向上させるとともに、最終的な書き込み品質も向上させることができる。
【００４１】
【発明の効果】
以上説明したように構成された本発明によれば、新規に部品を追加することなく、チルトセンサやディスク特性のばらつきを補正し、記録特性を向上させることが可能となる。
【図面の簡単な説明】
【図１】本発明の実施形態を説明するための光ディスク装置の構成を示す平面図
【図２】本発明の実施形態を説明するための光ディスク装置の構成を示す平面図
【図３】ＰＵの構成を示す模式図
【図４】チルトセンサの回路構成の一例を示す回路図
【図５】チルトセンサによるチルトの検出原理を示す説明図
【図６】チルトセンサの信号の模式図
【図７】追記型光ディスクに対して記録動作を行う場合の模式図
【図８】チルトエラー信号を生成する回路の一例を示す回路図
【図９】入射光量変化に伴うチルト検出誤差を示す模式図
【図１０】半径位置に対応する入射光量の変化を示す模式図
【図１１】光ピックアップ上におけるチルトセンサの取り付け例を示す側面図
【図１２】追記型光ディスクに記録をする場合の記録済み領域と未記録領域の形成例を示す説明図
【図１３】記録領域済みと未記録領域との境界にセンサスポットが形成されたときの受光素子におけるスポット光量を示す模式図
【符号の説明】
５　スピンドルモータ
６　チルトモータ
７　チルトギヤ
８　チルト補正機構角度検出手段
９　光ピックアップ（ＰＵ）
１０　対物レンズ
１１　チルトセンサ
２０　光ディスク
２４　ＣＰＵ
２５　サーボ制御回路
２６　メモリ
３１　半導体レーザ
４０　光源
４１　受光素子
４１ａ，４１ｂ　ＰＤ
【図１】
2004118881.tif 000003
【図２】
2004118881.tif 000004
【図３】
2004118881.tif 000005
【図４】
2004118881.tif 000006
【図５】
2004118881.tif 000007
【図６】
2004118881.tif 000008
【図７】
2004118881.tif 000009
【図８】
2004118881.tif 000010
【図９】
2004118881.tif 000011
【図１０】
2004118881.tif 000012
【図１１】
2004118881.tif 000013
【図１２】
2004118881.tif 000014
【図１３】
2004118881.tif 000015